(57)【要約】  空気調和機において、漏洩検知センサの設置場所などの把握を容易にし、交換、修理などのメンテナンス性を高める。  室内機１１と室外機１２との間で熱交換用の冷媒Ｒを循環させる空気調和機１０において、冷媒Ｒの漏洩を検知する冷媒センサ１３と、冷媒センサ１３の位置情報２１を取得するＧＰＳ１４と、ＧＰＳ１４で取得した位置情報２１を空気調和機１０の外部に出力する出力装置１５と、を有する構成とした。この結果、空気調和機１０では、冷媒センサ１３の正確な位置情報２１がＧＰＳ１４により取得されるので、外部の修理サービス担当者は、冷媒センサ１３の設置場所を知ることができ、冷媒センサ１３の交換、修理などのメンテナンス性を高めることができる。
2019130452.tif 000002
【特許請求の範囲】
【請求項１】
室内機と室外機との間で熱交換用の冷媒を循環させる空気調和機において、
前記冷媒の漏洩を検知する漏洩検知センサと、
前記漏洩検知センサの位置情報を取得する位置情報取得装置と、
前記位置情報取得装置で取得した前記位置情報を前記空気調和機の外部に出力する出力装置と、を有する空気調和機。
【請求項２】
前記位置情報取得装置は、ＧＰＳであり、
前記ＧＰＳは、前記漏洩検知センサに一体的に設けられた請求項１に記載の空気調和機。
【請求項３】
前記ＧＰＳは、前記室内機に設けられた請求項２に記載の空気調和機。
【請求項４】
前記ＧＰＳは、前記室外機に設けられた請求項２に記載の空気調和機。
【請求項５】
前記空気調和機は、当該空気調和機を制御する制御装置を有し、
前記ＧＰＳは、前記制御装置に設けられた請求項２に記載の空気調和機。
【請求項６】
前記制御装置は、前記ＧＰＳで取得した当該制御装置の位置情報を、前記空気調和機の外部に出力する出力部を有する請求項５に記載の空気調和機。
【請求項７】
前記出力装置または／および前記出力部は、前記位置情報と合わせて、前記漏洩検知センサの設置時期情報、または前記漏洩センサの最初の通電時期情報に関する情報を、前記空気調和機の外部に出力する請求項６に記載の空気調和機。
【請求項８】
前記出力装置または／および前記出力部は、前記位置情報と合わせて、前記漏洩検知センサの製造番号または型式に関する情報を、前記空気調和機の外部に出力する請求項６に記載の空気調和機。
【請求項９】
前記出力装置または／および前記出力部は、電気通信回線またはネットワーク回線に接続されており、
前記出力装置または／および前記出力部は、前記電気通信回線または前記ネットワーク回線を介して、前記位置情報を前記空気調和機の外部に出力する請求項６に記載の空気調和機。
【請求項１０】
請求項１から請求項９の何れか一項に記載した前記空気調和機を有する空気調和システムであって、
前記空気調和機から出力された情報を取得する外部サーバと、
前記外部サーバで取得した情報を無線送信する無線送受信装置と、
前記無線送受信装置から無線送信された前記情報を受信および表示する端末機器と、を有する空気調和システム。
【発明の詳細な説明】
【技術分野】
【０００１】
本発明は、空気調和機および空気調和システムに関する。
【背景技術】
【０００２】
近年、環境負荷を少なくするため、代替フロンガスを冷媒として用いた空気調和機が開発されている。このような冷媒として、例えば、ハイドロフルオロカーボン（ＨＦＣ）類のＲ３２などの微燃性冷媒が用いられる。【０００３】
空気調和機に微燃性冷媒を用いた場合、微燃性冷媒の漏洩に起因した発火の恐れがある。このため、この種の空気調和機では、漏洩検出センサを用いて微燃性冷媒の漏洩を高精度に検知する必要がある。しかしながら、漏洩検知センサは、経時劣化や故障により検出精度が低下するため、定期的な交換、修理などのメンテナンスが必要になるという問題がある。【０００４】
特許文献１には、複数の漏洩検知センサを設けた空気調和機が開示されている。
【先行技術文献】
【特許文献】
【０００５】
【特許文献１】特開２０１４−２２４６１２号公報
【発明の概要】
【発明が解決しようとする課題】
【０００６】
特許文献１に開示された空気調和機では、複数の漏洩検知センサを設けることで、何れかの漏洩検知センサが経時劣化や故障した場合でも、他の漏洩検知センサで微燃性冷媒の漏洩を検知できるため、漏洩検知センサの交換、修理などのメンテナンスの頻度を少なくすることができる。【０００７】
しかしながら、特許文献１に開示された空気調和機では、複数の漏洩検知センサが同時に経時劣化や故障した場合、微燃性冷媒の漏洩を高精度に検出できない恐れがある。【０００８】
また、この種の空気調和機では、メンテナンス対象となる漏洩検知センサが設けられた空気調和機の設置場所や経時劣化の正確な把握が難しく、漏洩検知センサのメンテナンス性が悪いという問題がある。【０００９】
したがって本発明は、上記課題に鑑みてなされたもので、空気調和機において、漏洩検知センサの設置場所などの把握を容易にし、交換、修理などのメンテナンス性を高めることを目的とする。
【課題を解決するための手段】
【００１０】
上記課題を解決するため、室内機と室外機との間で熱交換用の冷媒を循環させる空気調和機において、冷媒の漏洩を検知する漏洩検知センサと、漏洩検知センサの位置情報を取得する位置情報取得装置と、位置情報取得装置で取得した位置情報を空気調和機の外部に出力する出力装置と、を有する構成とした。
【発明の効果】
【００１１】
本発明によれば、空気調和機において、漏洩検知センサの設置場所などの把握を容易にし、交換、修理などのメンテナンス性を高めることができる。
【図面の簡単な説明】
【００１２】
【図１】実施の形態にかかる空気調和システムの全体構成を説明するブロック図である。
【図２】冷媒センサの出力電圧の一例を説明する図である。
【図３】記憶部に記憶された機器情報の一例を説明する概念図である。
【図４】第２の実施の形態にかかる空気調和システムの全体構成を説明するブロック図である。
【発明を実施するための形態】
【００１３】
［空気調和システム］
以下、本発明の実施の形態にかかる空気調和システム１を説明する。
図１は、実施の形態にかかる空気調和システム１の全体構成を説明するブロック図である。
図２は、冷媒センサ１３の出力電圧Ｖａの一例を説明する図である。
【００１４】
図１に示すように、空気調和システム１は、空気調和機１０と、ネットワーク回線ＮＴを介して空気調和機１０に接続された外部サーバ３００と、無線データ送受信装置２００と、修理サービス担当者が保有する端末機器４００とを有している。
【００１５】
［空気調和機］
図１に示すように、空気調和機１０は、室内機１１と、室外機１２と、冷媒センサ１３と、ＧＰＳ（Ｇｌｏｂａｌ  Ｐｏｓｉｔｉｏｎｉｎｇ  Ｓｙｓｔｅｍ：測位装置）１４と、出力装置１５とを有している。
【００１６】
空気調和機１０では、室内に設置された室内機１１と、室外に設置された室外機１２との間で、冷媒Ｒ（代替フロンガス）が循環しており、この冷媒Ｒとの熱交換により室内機１１から冷風又は温風が吹き出されるようになっている。実施の形態では、冷媒Ｒとして、代替フロンのハイドロフルオロカーボン（ＨＦＣ）類のＲ３２などの微燃性冷媒が用いられる。
【００１７】
室内機１１には、当該室内機１１における冷媒Ｒの漏洩を検知するための冷媒センサ１３が設けられている。冷媒センサ１３は対応する室内機１１に対して１つ設けられており、冷媒センサ１３の製造番号と室内機１１の製造番号とは一対一で関連付けられている。
【００１８】
冷媒センサ１３は、空気中に漏洩した冷媒Ｒの粒子を検知するセンサ部（図示せず）を有しており、このセンサ部（図示せず）で検知した粒子の量により室内機１１での冷媒Ｒの漏洩を検知する。
【００１９】
図２に示すように、冷媒センサ１３は、空気中に漏洩した冷媒Ｒの粒子の量に応じた電圧（出力電圧Ｖａ）を出力するようになっており、室内機１１での冷媒Ｒの漏洩が多くなるほど出力電圧Ｖａが高くなる（図２の破線）。また、冷媒センサ１３では、センサ部（図示せず）の経時劣化が進むに連れて出力電圧Ｖａが上昇する（図２の実線）。
【００２０】
空気調和機１０では、冷媒Ｒの漏洩又は経時劣化によるメンテナンス要否判断の閾値電圧Ｖｔｈが設定されている。空気調和機１０では、冷媒センサ１３の出力電圧Ｖａが、この閾値電圧Ｖｔｈを超えて高くなると、冷媒センサ１３の交換、修理などのメンテナンスが必要と判断する。
【００２１】
空気調和機１０では、冷媒センサ１３の出力電圧Ｖａを、所定の間隔（例えば、４カ月）ごとに計測している。空気調和機１０では、所定の間隔における第１計測タイミング（例えば、運転開始後５４カ月）で計測した出力電圧Ｖａに基づいて、次回の第２計測タイミング（例えば、６０カ月）で計測される予定の出力電圧Ｖａが、閾値電圧Ｖｔｈを超えて高くなると判定した場合、冷媒センサ１３の経時劣化によるメンテナンスが必要と判定する。
【００２２】
つまり、空気調和機１０は、冷媒センサ１３の過去の出力電圧Ｖａの変化率に基づいて、将来の出力電圧Ｖａを予測し、次回の計測タイミング（第２計測タイミング）までに予測した出力電圧Ｖａが閾値電圧Ｖｔｈを超えると判定した場合、冷媒センサ１３のメンテナンスが必要と判定する。
【００２３】
図１に戻って、冷媒センサ１３には、当該冷媒センサ１３の位置情報（設置場所を示す情報）を取得するＧＰＳ１４が一体的に設けられている。このＧＰＳ１４は、位置情報取得装置に相当する。
【００２４】
ＧＰＳ１４で取得された冷媒センサ１３の位置情報は、冷媒センサ１３の出力電圧Ｖａ及びその他の情報と共に、機器情報２０として出力装置１５に送信される。
【００２５】
出力装置１５は、インターネットなどのネットワーク回線ＮＴ又は、電話回線などの電気通信回線を通じて、外部サーバ３００に接続されている。出力装置１５は、冷媒センサ１３の位置情報と出力電圧Ｖａを含む機器情報２０を、ネットワーク回線ＮＴを介して外部サーバ３００に送信する。
【００２６】
また、出力装置１５は、前述した各情報と合わせて、冷媒センサ１３の製造番号、型式、冷媒種類に関する情報を機器情報２０に含め、この機器情報２０を、ネットワーク回線ＮＴを介して外部サーバ３００に送信する。
【００２７】
なお、出力装置１５は、前述した冷媒センサ１３の位置情報及び出力電圧Ｖａと合わせて、冷媒センサ１３の設置時期情報、及び／又は冷媒センサ１３の最初の通電時期に関する情報を取得できる場合、これらの情報を機器情報２０に含め、ネットワーク回線ＮＴを介して外部サーバ３００に送信してもよい。
【００２８】
外部サーバ３００では、ＲＡＭ（Ｒａｎｄｏｍ  Ａｃｃｅｓｓ  Ｍｅｍｏｒｙ）などの記憶部３１０を有しており、この記憶部３１０に出力装置１５から送信された機器情報２０が一時的に記憶される。記憶部３１０に記憶された機器情報２０の詳細は後述する。
【００２９】
外部サーバ３００は、記憶部３１０に記憶した機器情報２０を、無線データ送受信装置２００を介して、修理サービス担当者の保有する端末機器４００に送信する。
【００３０】
これにより、修理サービス担当者は、端末機器４００に表示された機器情報２０を参照して、メンテナンスが必要な冷媒センサ１３の設置場所（位置情報）などを正確に把握することができ、冷媒センサ１３のメンテナンスを効率よく行うことができる。
【００３１】
［機器情報］
次に、外部サーバ３００の記憶部３１０に記憶された機器情報２０の一例を説明する。
【００３２】
図３は、記憶部３１０に記憶された機器情報２０の一例を説明する概念図である。
【００３３】
図３に示すように、機器情報２０は、冷媒センサ１３の位置情報２１と、冷媒センサ１３の型式情報２２と、冷媒センサ１３の製造番号情報２３と、室内機１１の運転開始の日時情報２４と、室内機１１の運転開始からの経過時間情報２５と、冷媒Ｒの冷媒種類情報２６と、冷媒センサ１３の出力電圧Ｖａ情報と、を含んでいる。
【００３４】
冷媒センサ１３の位置情報２１は、冷媒センサ１３に一体的に設けられたＧＰＳ１４により取得される。位置情報２１は、冷媒センサ１３（室内機１１）の緯度、経度の平面座標と、冷媒センサ１３（室内機１１）の高さ位置の高低座標とを含んで構成される。
【００３５】
実施の形態では、冷媒センサ１３は、室内機１１に対応して設けられているため、この冷媒センサ１３の位置情報２１に基づいて、室内機１１の位置情報（設置場所）を取得できる。
【００３６】
冷媒センサ１３の型式情報２２は、冷媒センサ１３に固有に付された情報であり、この型式情報２２に基づいて冷媒センサ１３を特定できる。例えば、複数の冷媒センサ１３を有する空気調和機１０である場合、冷媒センサ１３の型式情報２２を参照することで、複数の冷媒センサ１３の中から特定の冷媒センサ１３を特定できる。
【００３７】
実施の形態では、冷媒センサ１３は、室内機１１に対応して設けられているため、冷媒センサ１３の型式情報２２に基づいて、室内機１１を特定できる。
【００３８】
冷媒センサ１３の製造番号情報２３は、冷媒センサ１３に固有に付された識別情報であり、この製造番号情報２３に基づいて冷媒センサ１３を特定できる。なお、冷媒センサ１３は、室内機１１内に設けられているため、冷媒センサ１３の製造番号情報２３に基づいて、室内機１１を特定できる。
【００３９】
室内機１１の運転開始の日時情報２４は、室内機１１が最初に電源に接続され、室内機１１に最初に通電された日時である。
【００４０】
冷媒センサ１３は、センサ部（図示せず）が周囲雰囲気に晒された日時から劣化が始まる。そのため、空気調和機１０では、室内機１１の最初の運転開始の日時情報２４を記憶しておき、この運転開始の日時情報２４に冷媒センサ１３が周囲雰囲気に晒された日時と仮定し、この日時情報２４から劣化開始をカウントする。
【００４１】
これにより、空気調和機１０では、冷媒センサ１３の経時劣化による出力電圧Ｖａの状態を取得することができる。なお、冷媒センサ１３のセンサ部（図示せず）が周囲雰囲気に晒された日時情報を取得できる場合には、空気調和機１０では、その日時から冷媒センサ１３の劣化開始をカウントすることで、冷媒センサ１３の経時劣化による出力電圧Ｖａの状態をより正確に取得することができる。
【００４２】
前述した室内機１１の運転開始の日時情報２４は、冷媒センサ１３の設置時期情報、又は通電時期情報に相当する。
【００４３】
室内機１１の運転開始からの経過時間情報２５は、室内機１１に最初に通電された日時からの経過時間である。空気調和機１０では、室内機１１に通電された日時からの経過時間を取得することで、冷媒センサ１３の経時劣化による出力電圧Ｖａの状態を正確に取得することができる。前述したように、冷媒センサ１３のセンサ部（図示せず）が周囲雰囲気に晒された日時情報を取得できる場合には、その日時からの経過時間をカウントすることで、冷媒センサ１３の経時劣化による出力電圧Ｖａの状態をより正確に取得できる。
【００４４】
冷媒種類情報２６は、空気調和機１０で用いられる冷媒Ｒの種類が記憶されている。実施の形態では、冷媒Ｒとして、代替フロンのハイドロフルオロカーボン（ＨＦＣ）類のＲ３２などの微燃性冷媒が用いられる。この場合、冷媒種類情報２６には、Ｒ３２が記憶される。
【００４５】
冷媒センサ１３の出力電圧２７は、冷媒センサ１３から出力された電圧値（出力電圧Ｖａ）である。出力電圧２７は、電圧計（図示せず）で計測される。
【００４６】
前述した通り、空気調和機１０では、冷媒センサ１３に一体的に設けられたＧＰＳ１４により冷媒センサ１３の位置情報２１を取得すると共に、この冷媒センサ１３の位置情報２１と、冷媒センサ１３の出力電圧２７情報とを含む機器情報２０を取得し、ネットワーク回線ＮＴを介して外部サーバ３００に送信する。そして、空気調和システム１では、外部サーバ３００に記憶された機器情報２０を、修理サービス担当者の保有する端末機器４００に送信する。よって、修理サービス担当者は、端末機器４００に表示された機器情報２０を確認することで、冷媒センサ１３のメンテナンスの要否判定を行うと共に、メンテナンスが必要な冷媒センサ１３の位置を正確に把握することができる。
【００４７】
なお、前述した実施の形態では、ＧＰＳ１４は、冷媒センサ１３に一体的に設けられている場合を例示して説明したが、これに限定されるものではない、例えば、ＧＰＳ１４は、冷媒センサ１３と分離して、室内機１１に設けられていてもよく、また、室外機１２に設けられていてもよい（図１の一点鎖線）。
【００４８】
また、前述した実施の形態では、位置情報取得装置としてＧＰＳ１４を用いた場合を例示して説明したが、冷媒センサ１３などの位置情報を取得できる装置、方法であればこれに限定されるものではなく、無線通信装置、有線通信装置を用いた様々な位置情報取得装置、取得方法であってもよい。
【００４９】
なお、前述した機器情報２０において、運転開始の日時情報２４や運転開始からの経過時間２５は、厳密に時分秒まで記録してもよく、月日の単位で記録してもよい。
【００５０】
以上説明した通り、実施の形態では、
（１）室内機１１と室外機１２との間で熱交換用の冷媒Ｒを循環させる空気調和機１０において、冷媒Ｒの漏洩を検知する冷媒センサ１３（漏洩検知センサ）と、冷媒センサ１３の位置情報２１を取得するＧＰＳ１４（位置情報取得装置）と、ＧＰＳ１４で取得した位置情報２１を空気調和機１０の外部に出力する出力装置１５と、を有する構成とした。
【００５１】
このように構成すると、空気調和機１０では、冷媒センサ１３の正確な位置情報２１がＧＰＳ１４により取得されるので、外部の修理サービス担当者は、冷媒センサ１３の設置場所を迅速、かつ正確に知ることができ、冷媒センサ１３の交換、修理などのメンテナンス性を高めることができる。
【００５２】
（２）また、機器情報取得装置は、ＧＰＳ１４（測位装置）であり、ＧＰＳ１４は、冷媒センサ１３に一体的に設けられた構成とした。
【００５３】
このように構成すると、空気調和機１０では、汎用的なＧＰＳ測位システムを活用して、冷媒センサ１３の位置情報を簡単に取得することができる。また、ＧＰＳ１４は、冷媒センサ１３と一体的に設けられているので、冷媒センサ１３の位置情報２１を精度よく取得することができる。
【００５４】
（３）また、ＧＰＳ１４は、空気調和機１０の室内機１１に設けられている構成とした。
【００５５】
このように構成すると、空気調和機１０では、室内機１１の位置情報をＧＰＳ１４により取得することができる。よって、修理サービス担当者は、ＧＰＳ１４で取得された室内機１１の位置情報に基づいて、冷媒Ｒの漏洩のあった室内機１１（冷媒センサ１３）のメンテナンスを容易に行うことができる。
【００５６】
また、ＧＰＳ１４は、冷媒センサ１３とは個別に室内機１１に設けられるので、冷媒Ｒの漏洩を検知する冷媒センサ１３は、汎用性のあるセンサを用いることができる。
【００５７】
（４）また、ＧＰＳ１４は、空気調和機１０の室外機１２に設けられる構成とした。
【００５８】
このように構成すると、一台の室外機１２に対して複数の室内機１１を有する空気調和機１０である場合、室内機１１ごとにＧＰＳ１４を設ける必要がないため、空気調和機１０の製造コストを抑えることができる。
【００５９】
（５）また、出力装置１５は、冷媒センサ１３の位置情報２１と合わせて、冷媒センサ１３の設置時期情報、または冷媒センサ１３の最初の通電時期情報（室内機１１の運転開始の日時情報２４）に関する情報を、空気調和機１０の外部に出力する構成とした。
【００６０】
このように構成すると、空気調和機１０では、冷媒センサ１３の位置情報２１と合わせて、冷媒センサ１３の経時劣化による出力電圧Ｖａの状態を取得することができ、冷媒センサ１３の交換、修理などのメンテナンス性を高めると共に、メンテナンス時期を適切に判断することができる。
【００６１】
（６）また、出力装置１５は、冷媒センサ１３の位置情報２１と合わせて、冷媒センサ１３の製造番号情報２３または型式情報２２に関する情報を、空気調和機１０の外部に出力する構成とした。
【００６２】
このように構成すると、出力装置１５は、冷媒センサ１３の製造番号情報２３又は型式情報２２に関する情報を外部に出力するので、外部の修理サービス担当者は、これらの情報に基づいて、メンテナンスが必要な冷媒センサ１３を特定することができる。
【００６３】
（７）また、出力装置１５は、電気通信回線またはネットワーク回線ＮＴに接続されており、出力装置１５は、電気通信回線またはネットワーク回線ＮＴを介して、冷媒センサ１３の位置情報２１を含む機器情報２０を空気調和機１０の外部に出力する構成とした。
【００６４】
このように構成すると、出力装置１５は、汎用的な電気通信回線やネットワーク回線ＮＴを介して機器情報２０を外部に送信することができる。よって、修理サービス担当者は、ネットワーク回線ＮＴを介して容易に機器情報２０を取得することができる。
【００６５】
（８）また、前述した（１）〜（７）の何れか一項に記載した空気調和機１０を有する空気調和システム１であって、この空気調和機１０から出力された機器情報２０を取得する外部サーバ３００と、この外部サーバ３００で取得した機器情報２０を無線送信する無線データ送受信装置２００（無線送受信装置）と、この無線データ送受信装置２００から無線送信された機器情報２０を受信および表示する端末機器４００と、を有する構成とした。
【００６６】
このように構成すると、空気調和システム１では、冷媒センサ１３の位置情報２１及び出力電圧２７情報を含む機器情報２０を、外部サーバ３００に記憶すると共に、この外部サーバ３００から無線データ送受信装置２００を介して修理サービス担当者の端末機器４００に送信される。よって、修理サービス担当者は、保有する端末機器４００に表示された機器情報２０を確認することで、冷媒センサ１３の正確な設置位置の把握やメンテナンスの必要性の判断を行うことができ、メンテナンス性を高めることができる。
【００６７】
［第２の実施の形態］
次に、第２の実施の形態にかかる空気調和システム１Ａを説明する。
【００６８】
図４は、第２の実施の形態にかかる空気調和システム１Ａの全体構成を説明するブロック図である。
【００６９】
第２の実施の形態にかかる空気調和システム１Ａは、空気調和機１０Ａの全体制御を行う集中制御装置１６を有しており、この集中制御装置１６にＧＰＳ１４が設けられている点が、前述した実施の形態と異なる。なお、前述した実施の形態と同じ構成については、同一の符号を付し、必要に応じて説明する。
【００７０】
図４に示すように、空気調和機１０Ａには集中制御装置１６が設けられており、この集中制御装置１６により、空気調和機１０Ａの室内機１１及び室外機１２の全体制御が行われる。
【００７１】
また、複数の室内機１１を有する空気調和機１０Ａである場合、集中制御装置１６は、室内温度や設定温度に基づいて、各々の室内機１１及び室外機１２を個別に制御する。また、集中制御装置１６は、室内機１１又は室外機１２に設けられた冷媒センサ１３の出力電圧Ｖａを含む機器情報２０Ａが、どの室内機１１から送信されたものかを判定することができる。
【００７２】
集中制御装置１６は、ネットワーク回線ＮＴに接続されており、このネットワーク回線ＮＴを介して外部サーバ３００に接続されている。
【００７３】
集中制御装置１６には、ＧＰＳ１４と、出力部１６１とが設けられている。集中制御装置１６の出力部１６１は、ＧＰＳ１４で取得した集中制御装置１６の位置情報を含む機器情報２０Ａを、ネットワーク回線ＮＴを介して外部サーバ３００に送信する。
【００７４】
外部サーバ３００では、集中制御装置１６の出力部１６１から送信された機器情報２０Ａを、記憶部３１０Ａに記憶すると共に、記憶部３１０に記憶した機器情報２０Ａを、無線データ送受信装置２００を介して、修理サービス担当者の保有する端末機器４００に送信する。
【００７５】
修理サービス担当者は、端末機器４００に送信された集中制御装置１６の位置情報を含む機器情報２０Ａを参照することで、漏洩のあった室内機１１の位置を正確に把握することができる。
【００７６】
以上説明した通り、第２の実施の形態では、
（９）空気調和機１０Ａは、この空気調和機１０Ａを制御する集中制御装置１６（制御装置）を有し、ＧＰＳ１４は、集中制御装置１６に設けられる構成とした。
【００７７】
空気調和機１０Ａでは、複数の室内機１１を有する構成である場合、複数の室内機１１を個別に制御する集中制御装置１６を設けることで、集中制御装置１６により冷媒センサ１３の位置情報を含む機器情報２０Ａが、どの室内機１１（冷媒センサ１３）又は室外機１２から送信されてきたのか判定することができる。
【００７８】
このように構成すると、空気調和機１０Ａでは、集中制御装置１６の設置位置をＧＰＳ１４により取得すると共に、集中制御装置１６により、メンテナンスが必要な室内機１１（冷媒センサ１３）又は室外機１２（冷媒センサ１３）を特定することができる。また、ＧＰＳ１４を複数の室内機１１の全ての設ける必要がなく、空気調和機１０の構成を簡略化することができると共に、製造コストを抑えることができる。
【００７９】
（１０）また、集中制御装置１６は、ＧＰＳ１４で取得した集中制御装置１６の位置情報を含む機器情報２０Ａを、空気調和機１０Ａの外部の外部サーバ３００に出力する出力部１６１を有する構成とした。
【００８０】
このように構成すると、空気調和機１０Ａでは、集中制御装置１６が有する出力部１６１により、集中制御装置１６の位置情報を含む機器情報２０Ａを外部サーバ３００に出力できるので、前述した出力装置１５を別途設ける必要がなく、空気調和機１０Ａの構成を簡略化することができると共に、製造コストを抑えることができる。
【００８１】
また、本発明は、前述した実施の形態の全ての構成を備えているものに限定されるものではなく、前述した実施の形態の構成の一部を、他の実施の形態の構成に置き換えてもよく、また、前述した実施の形態の構成を、他の実施の形態の構成に置き換えてもよい。
【００８２】
また、前述した実施の形態の一部の構成について、他の実施の形態の構成に追加、削除、置換をしてもよい。
【００８３】
また、上記した実施の形態の構成、機能、処理、手段は、それの一部又は全部を、例えば、集積回路で設計する等により、ハードウェアで実現してもよい。また、前述した構成、機能は、プロセッサがそれぞれの機能を実現するプログラムの実行により実現できるものであってもよい。
このプログラム等の情報は、メモリなどの記憶装置に記憶しておくことができる。
【符号の説明】
【００８４】
１：空気調和システム、１０：空気調和機、１１：室内機、１２：室外機、１３：冷媒センサ、１４：ＧＰＳ、１５：出力装置、１６：集中制御装置、１６１：出力部、２０：機器情報、２１：位置情報、２２：型式情報、２３：製造番号、２４：運転開始の日時情報、２５：運転開始からの経過時間情報、２６：冷媒の種類情報、２７：冷媒センサの出力電圧、２００：無線データ送受信装置、３００：外部サーバ、３１０：記憶部、４００：端末機器、ＮＴ：ネットワーク回線、Ｖａ：出力電圧、Ｖｔｈ：閾値電圧、Ｒ：冷媒
【図１】
2019130452.tif 000003
【図２】
2019130452.tif 000004
【図３】
2019130452.tif 000005
【図４】
2019130452.tif 000006
【手続補正書】
【提出日】令和2年6月17日(2020.6.17)
【手続補正１】
【補正対象書類名】特許請求の範囲
【補正対象項目名】全文
【補正方法】変更
【補正の内容】
【特許請求の範囲】
【請求項１】
室内機と室外機との間で熱交換用の冷媒を循環させる空気調和機において、
前記冷媒の漏洩を検知する漏洩検知センサと、
前記漏洩検知センサの位置情報を取得する位置情報取得装置と、
前記位置情報取得装置で取得した前記位置情報を前記空気調和機の外部に出力する出力装置と、を有し、
前記出力装置は、前記位置情報と合わせて、前記漏洩検知センサの設置時期情報、または前記漏洩センサの最初の通電時期情報に関する情報を、前記空気調和機の外部に出力する空気調和機。
【請求項２】
室内機と室外機との間で熱交換用の冷媒を循環させる空気調和機において、
前記冷媒の漏洩を検知する漏洩検知センサと、
前記漏洩検知センサの位置情報を取得する位置情報取得装置と、
前記位置情報取得装置で取得した前記位置情報を前記空気調和機の外部に出力する出力装置と、を有し、
前記出力装置は、前記位置情報と合わせて、前記漏洩検知センサの製造番号または型式に関する情報を、前記空気調和機の外部に出力する空気調和機。
【請求項３】
請求項１または請求項２に記載した前記空気調和機を有する空気調和システムであって、
前記空気調和機から出力された情報を取得する外部サーバと、
前記外部サーバで取得した情報を無線送信する無線送受信装置と、
前記無線送受信装置から無線送信された前記情報を受信および表示する端末機器と、を有する空気調和システム。
【請求項４】
室内機と室外機との間で熱交換用の冷媒を循環させる空気調和機を有する空気調和システムであって、
前記空気調和機から出力された情報を取得する外部サーバと、
前記外部サーバで取得した情報を無線送信する無線送受信装置と、
前記無線送受信装置から無線送信された前記情報を受信および表示する端末機器と、を有し、
前記空気調和機は、
前記冷媒の漏洩を検知する漏洩検知センサと、
前記漏洩検知センサの位置情報を取得する位置情報取得装置と、
前記位置情報取得装置で取得した前記位置情報を前記空気調和機の外部に出力する出力装置と、を有し、
前記出力装置は、前記位置情報と合わせて、前記漏洩検知センサの設置時期情報、または前記漏洩センサの最初の通電時期情報に関する情報を、前記空気調和機の外部に出力する空気調和システム。
【国際調査報告】
2019130452.tif 000007
2019130452.tif 000008
2019130452.tif 000009
2019130452.tif 000010